(57)【要約】【課題】比較的大きな被包装物を包装した場合であっても転倒しにくく安定性に優れた包装材を提供する。【解決手段】合成樹脂発泡体を主体とするシート状物１１からなり、被包装物Ｍの底部Ｍ１が載置される中央座部２０と、中央座部２０を上方に持ち上げかつ該中央座部２０の下降とともに内方へ反転するように、当該中央座部２０から下部外方へ傾斜をもって延接された反転傾斜部３０と、反転傾斜部３０より外方へ放射状に形成された包着片４０とからなる包装材１０であって、中央座部２０は、その座面２１の一部が外側へ膨出して複数の底脚部２５として形成されているとともに、反転傾斜部３０は中央座部２０と環状段差部３１を介して形成されていることを特徴とする。【選択図】図４
2014231363.tif 000002
【特許請求の範囲】
【請求項１】
合成樹脂発泡体を主体とするシート状物からなり、被包装物の底部が載置される中央座部と、前記中央座部を上方に持ち上げかつ該中央座部の下降とともに内方へ反転するように、当該中央座部から下部外方へ傾斜をもって延接された反転傾斜部と、前記反転傾斜部より外方へ放射状に形成された包着片とからなる包装材であって、
前記中央座部は、その座面の一部が外側へ膨出して複数の底脚部として形成されているとともに、前記反転傾斜部は前記中央座部と環状段差部を介して形成されている
ことを特徴とする包装材。
【請求項２】
前記中央座部が楕円形状に形成されている請求項１に記載の包装材。
【請求項３】
前記底脚部が前記楕円形状の前記中央座部の短径側に平行に配設された２本の突条である請求項２に記載の包装材。
【請求項４】
前記反転傾斜部の外面側に複数のリブが放射状に形成されている請求項１ないし３のいずれか１項に記載の包装材。
【請求項５】
前記包着片が複数の舌片状に形成されている請求項１ないし４のいずれか１項に記載の包装材。
【発明の詳細な説明】
【技術分野】
【０００１】
本発明は、合成樹脂発泡体を主体とするシート状物からなる包装材に関する。
【背景技術】
【０００２】
例えば、果物や野菜等の傷付きやすい物品は、外部からの衝撃や表面への損傷等から守るために、物品（被包装物）の外側のほぼ全体を個別的に軟らかく包み込むことができる包装材が用いられる（例えば、特許文献１参照。）。
【０００３】
この包装材は、合成樹脂発泡体を主体とするシート状物よりなり、被包装物の底部が載置される中央座部と、前記中央座部を上方に持ち上げかつ該中央座部の下降とともに内方へ反転するように、当該中央座部から下部外方へ傾斜をもって延設された反転傾斜部と、前記反転傾斜部より外方へ放射状に形成された包着片とからなる。
【０００４】
上記従来の包装材では、被包装物を中央座部に配置してその底部を押し付け反転傾斜部を反転させるだけで被包装物を包装することができ、特に、桃やリンゴ、メロン等の略球形状の果物の包装に適している。また、保管及び輸送時には、シート状のままで積み重ねが可能であるため、収納や保管の際に省スペース化を図ることができて有利である。
【０００５】
しかるに、従来の包装材にあっては、パイナップルやマンゴー等の比較的大きな被包装物を包装した場合、被包装物の重量により転倒しやすくなって被包装物に不要な衝撃を与える等、安定性に問題があった。
【先行技術文献】
【特許文献】
【０００６】
【特許文献１】特許第２７３９６７５号公報
【発明の概要】
【発明が解決しようとする課題】
【０００７】
本発明は、前記の点に鑑みなされたものであって、比較的大きな被包装物を包装した場合であっても転倒しにくく安定性に優れた包装材を提供するものである。
【課題を解決するための手段】
【０００８】
すなわち、請求項１の発明は、合成樹脂発泡体を主体とするシート状物からなり、被包装物の底部が載置される中央座部と、前記中央座部を上方に持ち上げかつ該中央座部の下降とともに内方へ反転するように、当該中央座部から下部外方へ傾斜をもって延接された反転傾斜部と、前記反転傾斜部より外方へ放射状に形成された包着片とからなる包装材であって、前記中央座部は、その座面の一部が外側へ膨出して複数の底脚部として形成されているとともに、前記反転傾斜部は前記中央座部と環状段差部を介して形成されていることを特徴とする包装材に係る。
【０００９】
請求項２の発明は、前記中央座部が楕円形状に形成されている請求項１に記載の包装材に係る。
【００１０】
請求項３の発明は、前記底脚部が前記楕円形状の前記中央座部の短径側に平行に配設された２本の突条である請求項２に記載の包装材に係る。
【００１１】
請求項４の発明は、前記反転傾斜部の外面側に複数のリブが放射状に形成されている請求項１ないし３のいずれか１項に記載の包装材に係る。
【００１２】
請求項５の発明は、前記包着片が複数の舌片状に形成されている請求項１ないし４のいずれか１項に記載の包装材に係る。
【発明の効果】
【００１３】
請求項１の発明に係る包装材は、合成樹脂発泡体を主体とするシート状物からなり、被包装物の底部が載置される中央座部と、前記中央座部を上方に持ち上げかつ該中央座部の下降とともに内方へ反転するように、当該中央座部から下部外方へ傾斜をもって延接された反転傾斜部と、前記反転傾斜部より外方へ放射状に形成された包着片とからなる包装材であって、前記中央座部は、その座面の一部が外側へ膨出して複数の底脚部として形成されているとともに、前記反転傾斜部は前記中央座部と環状段差部を介して形成されているため、比較的大きな被包装物を包装した場合であっても十分な安定性が確保されて転倒を抑制することができるとともに、包装材を嵩上げして底部の通気性を確保して保温（保冷）性を向上させることができる。
【００１４】
請求項２の発明は、請求項１において、前記中央座部が楕円形状に形成されているため、球形ではない被包装物を安定して載置させることができる。
【００１５】
請求項３の発明は、請求項２において、前記底脚部が前記楕円形状の前記中央座部の短径側に平行に配設された２本の突条であるため、凹凸形状が少なく成形が容易で、包装材の楕円形状の中央座部（底部）を安定して支持することができる。
【００１６】
請求項４の発明は、請求項１ないし３において、前記反転傾斜部の外面側に複数のリブが放射状に形成されているため、反転傾斜部に腰強さを付与して内側方向への反転を確実かつ効果的に行わせるとともに、包装時の被包装物の下部近傍における緩衝性及び保温（保冷）性を高めることができる。
【００１７】
請求項５の発明は、請求項１ないし４において、前記包着片が複数の舌片状に形成されているため、反転傾斜部の反転に伴って内方へ閉じることで被包装物の周囲を効果的に包み込むことができる。
【図面の簡単な説明】
【００１８】
【図１】本発明の一実施例に係る包装材の斜視図である。
【図２】図１の包装材の上面図である。
【図３】図１の包装材の断面図である。
【図４】被包装物を包装した包装材の断面図である。
【図５】被包装物を包装した包装材の側面図である。
【図６】包装材を成形する成形型の断面図である。
【発明を実施するための形態】
【００１９】
図１〜図３に示す本発明の一実施例に係る包装材１０は、シート状物１１からなり、中央座部２０と、反転傾斜部３０と、包着片４０とを備える。この包装材１０は、果物や野菜等の傷付きやすい物品、特にパイナップルやマンゴー等の比較的大きな被包装物Ｍの包装に好適である。
【００２０】
シート状物１１は、被包装物Ｍを包み込むことが可能な柔軟性を有するとともに、その表面の損傷を抑制する保護性及び緩衝性を有する材料によって形成される。このシート状物１１にあっては、柔軟性、保護性、緩衝性に加え、優れた保温（保冷）性を得るために、ポリエチレン、ポリプロピレン、ポリスチレン、ポリウレタン等の公知の合成樹脂発泡体を主体とする材料が好適に用いられる。
【００２１】
中央座部２０は、図２，３に示すように、被包装物Ｍの底部Ｍ１が載置される部分であり、包装材１０の略中央部分に設けられ、被包装物Ｍの包装時に当該包装材１０の底部２２となる。この中央座部２０は、図１，３に示すように、被包装物Ｍが載置される座面２１を有し、該座面２１が内側（非包装時では上側）に持ち上がった台座形状からなる。中央座部２０の座面２１の形状としては、略円形状、略楕円形状、略三角形状や略四角形状等の略他多角形状等、被包装物Ｍの形状に応じて適宜決定される。実施例では、略楕円形状とされ、パイナップルやマンゴー等の球形ではない被包装物Ｍを安定して載置させることができる。
【００２２】
上記中央座部２０では、図１〜図３に示すように、座面２１の一部が外側（非包装時では下側）へ膨出して複数の底脚部２５として形成されている。底脚部２５は、図４，５に示すように、被包装物Ｍの包装時に接地されることにより、当該包装材１０を支えて転倒を抑制するものである。底脚部２５の数及び形状は、当該包装材１０の安定性が十分に確保可能であれば特に限定されるものではなく、三角状に配置された３つの突部や四角状に配置された４つの突部等適宜である。実施例の底脚部２５は、楕円形状の中央座部２０の短径側に略平行に配設された２本の突条２６，２６であるため、凹凸形状が少なく成形が容易で、包装材１０の楕円形状の中央座部２０（底部２２）を安定して支持することができる。また、図４，５に示すように、底脚部２５は、当該包装材１０を嵩上げして、包装材１０の底部２２に適度な空間を形成して通気性を確保し、保温（保冷）性を向上させることができる。
【００２３】
反転傾斜部３０は、図３，４に示すように、中央座部２０を上方に持ち上げかつ該中央座部２０の下降とともに内方へ反転するように、当該中央座部２０から下部外方へ傾斜をもって延接されており、特に、中央座部２０と環状段差部３１を介して形成されている。環状段差部３１は、中央座部２０と反転傾斜部３０との境界部分に沿って環状に全周に亘って形成された段部であり、反転傾斜部３０の反転箇所を規定するものである。実施例では、中央座部２０に被包装物Ｍを載置し、その底部Ｍ１を押し付けて中央座部２０を下降させることにより、中央座部２０から下部外方へ延設された反転傾斜部３０が環状段差部３１を介して内方へ反転（裏返り）し、内側に湾曲した状態で被包装物Ｍの外周に包着される。この時、反転傾斜部３０は環状段差部３１から反転するため、中央座部２０の座面２１の変形が抑制されて、座面２１に載置された被包装物Ｍの安定性を妨げることがない。
【００２４】
また、図３，５に示すように、反転傾斜部３０の外面側には、複数のリブ３５が放射状に形成されている。反転傾斜部３０にリブ３５を形成することにより、反転傾斜部３０に腰強さを付与して内側方向への反転を確実かつ効果的に行わせるとともに、包装時の被包装物Ｍの下部近傍における緩衝性及び保温（保冷）性を高めることができる。
【００２５】
包着片４０は、図１，２に示すように、反転傾斜部３０より外方へ複数枚が放射状に一体に形成される。この包着片４０は、反転傾斜部３０の反転に伴って被包装物Ｍの周囲を包み込み、反転傾斜部３０とともに被包装物Ｍを全体的に保護するものである。包着片４０は、被包装物Ｍの形状や大きさ等に応じて適宜の数、幅、長さ、形状に形成される。実施例の包着片４０は、複数の舌片状に形成され、図４，５に示すように、反転傾斜部３０の反転に伴って内方へ閉じることで被包装物Ｍの周囲を効果的に包み込むことができる。
【００２６】
また、包着片４０の外面側には、反転傾斜部３０に形成されたリブ３５が一体に延説されている。そのため、包着片４０に腰強さを付与しするとともに、包装時の被包装物Ｍの側面及び上部近傍における緩衝性及び保温（保冷）性を高めることができる。
【００２７】
次に、包装材１０の製造方法について説明する。包装材１０の製造方法は、成形性や経済性の観点から、図６に示すように、真空成形型５０を用いた真空プレス成形が好適に実施される。図において、符号５１は包装材１０の形状を規定する型面５２を有する下型、５３は下型５１の型面５２に対応する型面５４を有する上型、５５は下型５１の型面５２に開口した真空吸引孔、５６は真空吸引孔５５に接続された真空ポンプ等の吸引装置である。
【００２８】
この製造方法では、予熱されたシート状物１１を下型５１に配置し、真空吸引孔５５を介して吸引装置５６を作動させてシート状物１１を下型５１の型面５２に密着させ、上型５３を下型５１上のシート状物１１に対して押圧させて、下型５１と上型５３とで真空プレス成形が行われて、シート状物１１に所定形状が付与される。このように、真空プレス成形を行うことにより、シート状物１１に対して底脚部２５やリブ３５等の細かな形状を容易に賦形することができる。
【００２９】
以上図示し説明したように、本発明の包装材１０では、合成樹脂発泡体を主体とするシート状物１１からなり、被包装物Ｍの底部Ｍ１が載置される中央座部２０と、中央座部２０を上方に持ち上げかつ該中央座部２０の下降とともに内方へ反転するように、当該中央座部２０から下部外方へ傾斜をもって延接された反転傾斜部３０と、反転傾斜部３０より外方へ放射状に形成された包着片４０とからなり、中央座部２０は、その座面２１の一部が外側へ膨出して複数の底脚部２５として形成されているとともに、反転傾斜部３０は中央座部２０と環状段差部３１を介して形成されているため、反転傾斜部３０が環状段差部３１から反転して中央座部２０の座面２１の変形が抑制されて座面２１に載置された被包装物Ｍの安定性を妨げることがなく、包装時に底脚部２５が接地することで比較的大きな被包装物Ｍを包装した場合であっても包装時に十分な安定性が確保されて転倒を抑制することができるとともに、包装材１０を嵩上げして底部２２の通気性を確保して保温（保冷）性を向上させることができる。さらに、シート状であることから、保管時や輸送時に積み重ねが可能であり、収納や保管の際に省スペース化を図ることができる。
【００３０】
また、中央座部２０を楕円形状とし、底脚部２５を中央座部２０の短径側に平行に配設された２本の突条とすれば、凹凸形状が少なく成形が容易で、包装材１０の楕円形状の中央座部２０を安定して支持することができる。
【００３１】
加えて、反転傾斜部３０の外面側に複数のリブ３５を放射状に形成することにより、反転傾斜部３０に腰強さを付与して内側方向への反転を確実かつ効果的に行わせるとともに、包装時の被包装物Ｍの下部近傍における緩衝性及び保温（保冷）性を高めることができる。
【００３２】
さらに、包着片４０を複数の舌片状に形成すれば、反転傾斜部３０の反転に伴って複数の舌片状の包着片４０が内方へ閉じて被包装物Ｍの周囲を効果的に包み込むことが可能となる。
【００３３】
なお、本発明の包装材は、前述の実施例のみに限定されるものではなく、発明の趣旨を逸脱しない範囲において構成の一部を適宜に変更して実施することができる。
【符号の説明】
【００３４】
１０    包装材
１１    シート状物
２０    中央座部
２１    座面
２５    底脚部
３０    反転傾斜部
３１    環状段差部
３５    リブ
４０    包着片
Ｍ      被包装物
Ｍ１    被包装物の底部
【図１】
2014231363.tif 000003
【図２】
2014231363.tif 000004
【図３】
2014231363.tif 000005
【図４】
2014231363.tif 000006
【図５】
2014231363.tif 000007
【図６】
2014231363.tif 000008